(57)【特許請求の範囲】
【請求項１】
各店舗を統轄する本部に設置され各店舗で共通に販売される各種商品の単品コード，単価等の単品情報を記憶した単品情報マスタファイルを有する本部管理装置と、各店舗にそれぞれ設置されその店舗で販売される各種商品の前記単品情報を記憶した単品情報ローカルファイルを搭載可能な複数の店舗管理装置とを通信回線で接続してなる店舗管理システムにおいて、
前記各店舗管理装置のうち単品情報ローカルファイルを搭載済の店舗管理装置は、自己が有する単品情報ローカルファイルで記憶した各種商品の単品情報の中で前記単品情報マスタファイルに記憶されていない店舗固有の単品情報を抽出する店舗固有単品情報抽出手段と、この抽出手段により前記単品情報ローカルファイルから抽出した店舗固有の単品情報を出力する店舗固有単品情報出力手段とを具備し、
前記単品情報ローカルファイルを未搭載の店舗管理装置は、前記本部管理装置から前記通信回線を介してダウンロードされる単品情報と前記単品情報ローカルファイルを搭載済の店舗管理装置から出力される店舗固有単品情報とで自己の単品情報ローカルファイルを作成し記憶する単品情報ローカルファイル作成手段を具備したことを特徴とする店舗管理システム。
【請求項２】
前記店舗固有単品情報抽出手段は、前記単品情報ローカルファイルで記憶した各種商品の単品情報毎に前記本部管理装置からの指令により修正を行った単品情報か否かを識別する手段を設け、この識別手段により前記本部管理装置からの指令により修正を行った単品情報以外の単品情報を店舗固有の単品情報として抽出することを特徴とする請求項１記載の店舗管理システム。
【請求項３】
前記単品情報ローカルファイルを搭載済の店舗管理装置は、その単品情報ローカルファイルで単品情報を記憶した商品毎に当該店舗の稼働開始日を初期値とする日付を記憶する日付記憶手段と、この日付記憶手段により記憶した日付を対応する商品の単品情報が修正される毎にまたは対応する商品の売上が行われる毎にその修正日付または売上日付に更新する日付更新手段と、前記日付記憶手段により記憶した日付からの経過期間が予め設定した期間を経過した商品の単品情報を前記単品情報ローカルファイルから削除する単品情報削除手段とを具備したことを特徴とする請求項１記載の店舗管理システム。
【請求項４】
前記単品情報ローカルファイルを未搭載の店舗管理装置は、前記単品情報ローカルファイルを搭載済の店舗管理装置に前記通信回線を介して店舗固有単品情報の要求を行う手段を備え、この要求を受けた前記単品情報ローカルファイルを搭載済の店舗管理装置は、前記店舗固有単品情報抽出手段及び店舗固有単品情報出力手段を機能させることを特徴とする請求項１記載の店舗管理システム。
【請求項５】
前記単品情報ローカルファイルを搭載済の店舗管理装置は、可搬式の記録媒体に情報を記録する媒体記録手段を有するとともに、前記店舗固有単品情報出力手段を、前記店舗固有単品情報抽出手段により前記単品情報ローカルファイルから抽出した店舗固有の単品情報を前記単品情報ローカルファイルを未搭載の店舗管理装置に前記通信回線を介して送信出力し、送信エラーになると当該店舗固有の単品情報を前記媒体記録手段により前記可搬式の記録媒体に書込み出力する手段としたことを特徴とする請求項１記載の店舗管理装置。
【請求項６】
各店舗を統轄する本部に設置され各店舗で共通に販売される各種商品の単品コード，単価等の単品情報を記憶した単品情報マスタファイルを有する本部管理装置と、各店舗にそれぞれ設置されその店舗で販売される各種商品の前記単品情報を記憶した単品情報ローカルファイルを搭載可能な複数の店舗管理装置とを通信回線で接続してなる店舗管理システムにおいて、
前記本部管理装置は、各店舗毎にその店舗の出店地域を識別する地域コードとその店舗の商品形態を識別する形態コードとを設定した店舗情報ファイルと、新規に出店する店舗の地域コードと形態コードとが入力されるとその入力されたコードと同一の地域コード及び形態コードが設定された稼働店舗を前記店舗情報ファイルから検索する稼働店舗検索手段とを具備し、
前記各店舗管理装置のうち単品情報ローカルファイルを搭載済の店舗管理装置は、自己が有する単品情報ローカルファイルで記憶した各種商品の単品情報の中で前記単品情報マスタファイルに記憶されていない店舗固有の単品情報を抽出する店舗固有単品情報抽出手段と、この抽出手段により前記単品情報ローカルファイルから抽出した店舗固有の単品情報を出力する店舗固有単品情報出力手段とを具備し、
前記単品情報ローカルファイルを未搭載の店舗管理装置は、前記本部管理装置から前記通信回線を介してダウンロードされる単品情報と前記本部管理装置の稼働店舗検索手段により検出された稼働店舗の店舗管理装置から出力される店舗固有単品情報とで自己の単品情報ローカルファイルを作成し記憶する単品情報ローカルファイル作成手段を具備したことを特徴とする店舗管理システム。
【請求項７】
前記本部管理装置は、各店舗の出店地域を識別する地域コード別に当該出店地域に隣接する地域の地域コードを記憶した地域情報ファイルと、前記稼働店舗検索手段により店舗情報ファイルを検索した結果新規出店店舗の地域コード及び形態コードと同一の地域コード及び形態コードが設定された稼働店舗を検出できなかったとき前記地域情報ファイルを検索して前記新規出店店舗の地域コードに対応する隣接地域コードを取得する隣接地域コード取得手段と、このコード取得手段により取得した隣接地域コードと前記新規出店店舗の形態コードとが設定された稼働店舗を前記店舗情報ファイルから検索する隣接稼働店舗検索手段とを具備したことを特徴とする請求項６記載の店舗管理システム。
【発明の詳細な説明】
【０００１】
【発明の属する技術分野】
本発明は、スーパーマーケット，コンビニエンスストアなどのチェーン展開された各店舗にそれぞれ設置される店舗管理装置と、各店舗を統轄する本部に設置される本部管理装置とを、専用回線又は公衆回線による通信網に接続してなる店舗管理システムに関する。
【０００２】
【従来の技術】
一般に、各所にチェーン展開されたスーパーマーケット，コンビニエンスストアなどの小売店では、各チェーン店舗を統轄する本部にホストコンピュータからなる本部管理装置を設置するとともに、各チェーン店舗にそれぞれストアコンピュータからなる店舗管理装置を設置し、本部管理装置と各店舗管理装置とを専用回線又は公衆回線による通信網に接続する。そして、本部管理装置に各店舗で共通に販売される各種商品の単品コード，商品名，単価などの単品情報を記憶した単品情報マスタファイルを搭載する一方、各店舗管理装置にその店舗で販売される各種商品の単品情報を記憶する単品情報ローカルファイルをそれぞれ搭載し、各店舗管理装置の単品情報ローカルファイルに記憶される単品情報の修正（追加，削除または変更）を本部管理装置から遠隔より行うようにした店舗管理システムが構築されていた。
【０００３】
そこで、この種の店舗管理システムを構築した小売店では、新たにチェーン店舗を出店する際には、その未稼働店舗に単品情報ローカルファイルを搭載していない店舗管理装置を設置して通信網に接続する。そして、この通信網を介して本部管理装置にアクセスし、単品情報マスタファイルに記憶された単品情報のダウンロードを受けることによって、未稼働店舗の店舗管理装置に単品情報ローカルファイルを作成していた。
【０００４】
ところで、商品のなかにはある地域でのみ販売される地域限定商品があり、この地域限定商品については本部で管理されていなかった。このため、稼働中の各チェーン店舗では地域限定商品が販売されるごとにパーソナルコンピュータなどを操作して店舗管理装置の単品情報ローカルファイルにその地域限定商品の単品情報を追加していた。また、新規に出店する未稼働店舗では販売対象商品の中で本部管理装置の単品情報マスタファイルには登録されていない地域限定商品を全てピックアップし、これらの地域限定商品の単品情報を上記と同様にして店舗管理装置の単品情報ローカルファイルに追加して、開店に備えていた。
【０００５】
【発明が解決しようとする課題】
このように、前記のような商品管理システムを構築した小売店において、新規に開店する未稼働店舗の店舗管理装置に単品情報ローカルファイルを作成する場合には、本部よりダウンロードされた単品情報マスタファイルの単品情報に、本部では管理されていない地域限定商品などの商品の単品情報を店側で追加する必要があった。このため、本部では管理されていない商品をピックアップする作業やこの商品の単品情報を入力する作業など、面倒で手間のかかる作業が開店までの準備期間に要求され、商品のピックアップ漏れや誤入力などのミスが発生しやすかった。
【０００６】
本発明はこのような事情に基づいてなされたものであり、その目的とするところは、新規に開店する未稼働店舗の店舗管理装置に単品情報ローカルファイルを作成するのに必要な作業の簡略化を図るとともに、商品のピックアップ漏れや誤入力などのミスを防止し得る店舗管理システムを提供しようとするものである。
【０００７】
【課題を解決するための手段】
本願請求項１記載の発明は、各店舗を統轄する本部に設置され各店舗で共通に販売される各種商品の単品コード，単価等の単品情報を記憶した単品情報マスタファイルを有する本部管理装置と、各店舗にそれぞれ設置されその店舗で販売される各種商品の単品情報を記憶した単品情報ローカルファイルを搭載可能な複数の店舗管理装置とを通信回線で接続してなる店舗管理システムにおいて、各店舗管理装置のうち単品情報ローカルファイルを搭載済の店舗管理装置に、自己が有する単品情報ローカルファイルで記憶した各種商品の単品情報の中で単品情報マスタファイルに記憶されていない店舗固有の単品情報を抽出する店舗固有単品情報抽出手段と、この抽出手段により単品情報ローカルファイルから抽出した店舗固有の単品情報を出力する店舗固有単品情報出力手段とを設け、かつ、単品情報ローカルファイルを未搭載の店舗管理装置に、本部管理装置から通信回線を介してダウンロードされる単品情報と単品情報ローカルファイルを搭載済の店舗管理装置から出力される店舗固有単品情報とで自己の単品情報ローカルファイルを作成し記憶する単品情報ローカルファイル作成手段を設けたものである。
本願請求項２記載の発明は、上記請求項１記載の発明において、店舗固有単品情報抽出手段を、単品情報ローカルファイルで記憶した各種商品の単品情報毎に本部管理装置からの指令により修正を行った単品情報か否かを識別する手段と、本部管理装置からの指令により修正を行った単品情報以外の単品情報を店舗固有の単品情報として抽出する手段とで構成したものである。
本願請求項３記載の発明は、上記請求項１記載の発明において、単品情報ローカルファイルを搭載済の店舗管理装置に、その単品情報ローカルファイルで単品情報を記憶した商品毎に当該店舗の稼働開始日を初期値とする日付を記憶する日付記憶手段と、この日付記憶手段により記憶した日付を対応する商品の単品情報が修正される毎にまたは対応する商品の売上が行われる毎にその修正日付または売上日付に更新する日付更新手段と、日付記憶手段により記憶した日付からの経過期間が予め設定した期間を経過した商品の単品情報を単品情報ローカルファイルから削除する単品情報削除手段とを設けたものである。
本願請求項４記載の発明は、上記請求項１記載の発明において、単品情報ローカルファイルを未搭載の店舗管理装置に、単品情報ローカルファイルを搭載済の店舗管理装置に通信回線を介して店舗固有単品情報の要求を行う手段を設け、この要求を受けた単品情報ローカルファイルを搭載済の店舗管理装置が、店舗固有単品情報抽出手段及び店舗固有単品情報出力手段を機能させるようにしたものである。
本願請求項５記載の発明は、上記請求項１記載の発明において、単品情報ローカルファイルを搭載済の店舗管理装置に可搬式の記録媒体に情報を記録する媒体記録手段を設けるとともに、店舗固有単品情報出力手段を、店舗固有単品情報抽出手段により単品情報ローカルファイルから抽出した店舗固有の単品情報を単品情報ローカルファイルを未搭載の店舗管理装置に通信回線を介して送信出力し、送信エラーになると当該店舗固有の単品情報を媒体記録手段により可搬式の記録媒体に書込み出力する手段としたものである。
本願請求項６記載の発明は、上記請求項１記載の発明において、本部管理装置に、各店舗毎にその店舗の出店地域を識別する地域コードとその店舗の商品形態を識別する形態コードとを設定した店舗情報ファイルと、新規に出店する店舗の地域コードと形態コードとが入力されるとその入力されたコードと同一の地域コード及び形態コードが設定された稼働店舗を店舗情報ファイルから検索する稼働店舗検索手段とを設ける。そして、単品情報ローカルファイルを未搭載の店舗管理装置が有する単品情報ローカルファイル作成手段を、本部管理装置から前記通信回線を介してダウンロードされる単品情報と稼働店舗検索手段により検出された稼働店舗の店舗管理装置から出力される店舗固有単品情報とで自己の単品情報ローカルファイルを作成し記憶する手段としたものである。
本願請求項７記載の発明は、上記請求項６記載の発明において、本部管理装置に、各店舗の出店地域を識別する地域コード別に当該出店地域に隣接する地域の地域コードを記憶した地域情報ファイルと、稼働店舗検索手段により店舗情報ファイルを検索した結果新規出店店舗の地域コード及び形態コードと同一の地域コード及び形態コードが設定された稼働店舗を検出できなかったとき地域情報ファイルを検索して新規出店店舗の地域コードに対応する隣接地域コードを取得する隣接地域コード取得手段と、このコード取得手段により取得した隣接地域コードと新規出店店舗の形態コードとが設定された稼働店舗を店舗情報ファイルから検索する隣接稼働店舗検索手段とを設けたものである。
【０００８】
【発明の実施の形態】
以下、本発明の実施の形態を図面を用いて説明する。
はじめに、本願請求項１乃至５記載の各発明に対応した第１の実施の形態について図１乃至図１１を用いて説明する。
なお、この第１の実施の形態では、図２に示すように、第１の地域Ａに属する複数のチェーン店舗ａ１，…，ａｎと、第２の地域Ｂに属する複数のチェーン店舗ｂ１，…，ｂｎとを本部Ｃで統轄する小売店に構築される店舗管理システムに本発明を適用した場合について説明する。
【０００９】
かかる店舗管理システムは、本部Ｃにホストコンピュータ等からなる本部管理装置１を設置し、各チェーン店舗ａ１〜ａｎ，ｂ１〜ｂｎにそれぞれストアコンピュータなどからなる店舗管理装置２を設置して、本部管理装置１と各店舗管理装置２とを専用の広域通信網であるＷＡＮ(Wide Area Network）３に共通に接続することにより構築したものである。
【００１０】
このような店舗管理システムにおいて、本部管理装置１は、各店舗で共通に販売される各種商品の単品コード，商品名，単価などの単品情報を記憶した単品情報マスタファイル４を搭載している。
一方、各店舗管理装置２は、それぞれその店舗に設置された複数台のＰＯＳ（Point Of Sales：販売時点情報管理）ターミナル５を狭域通信網であるＬＡＮ（Local Area Network）６を介して接続するとともに、その店舗で販売する各種商品の単品情報を記憶する単品情報ローカルファイル７を搭載している。そしてこの単品情報ローカルファイル７に記憶した各種商品の単品情報により、各ＰＯＳターミナル５にて販売商品の単品登録が行われるようになっている。
また各店舗管理装置２は、前記ＬＡＮ６に接続されたパーソナルコンピュータ８を操作して、単品情報ローカルファイル７に対する単品情報の追加，削除，変更などの修正（ファイルメンテナンス）を行えるようになっている。
【００１１】
図３は前記店舗管理装置２を構成するハードウェアの要部を示すブロック図である。すなわちこの店舗管理装置２は、制御部本体を構成するＣＰＵ（Central Processing Unit ）２１、プログラムなどの固定的データを記憶するＲＯＭ（Read Only Memoly）２２、受信データや演算処理データなどを一時的に格納するためのメモリエリアを形成するＲＡＭ（Random Access Memoly）２３、現日付及び時刻を計時する時計部２４、単品情報ローカルファイル５などの各種データファイルを記憶するハードディスクなどのファイル記憶部２５ａに対してデータの書込み及び読出しを行うファイル制御部２５、前記ＷＡＮ３を介して行われるデータ通信を制御するＷＡＮ制御部２６、前記ＬＡＮ６を介して行われるデータ通信を制御するＬＡＮ制御部２７、外部より着脱自在に挿着される可搬式記録媒体であるフロッピーディスクに対してデータの書込み及び読出しを行う媒体記録手段としてのＦＤＤ（Floppy Disk Drive ）装置２８などを備えている。そして、ＣＰＵ２１と、ＲＯＭ２２，ＲＡＭ２３，時計部２４，ファイル制御部２５，ＷＡＮ制御部２６，ＬＡＮ制御部２７及びＦＤＤ装置２８の各部とを、アドレスバス，データバスなどのバスライン２９で接続し、このＣＰＵ２１で各部を制御することにより、店舗管理装置２としての各種機能を実現している。
【００１２】
ここで、前記店舗管理装置２及び本部管理装置１の本発明に関わる主要な機能構成を図１に示す機能ブロック図及び図５乃至図９に示す流れ図を用いて説明する。なお、図１中符号２Ｘは単品情報ローカルファイル５を搭載済の稼働店舗ａ１の店舗管理装置を示しており、符号２Ｙは上記稼働店舗ａ１と同一地域Ａにおいて単品情報ローカルファイルを未搭載の未稼働店舗ａｎの店舗管理装置を示している。
図示するように、本部管理装置１は、単品情報マスタファイル４に記憶される単品情報の修正（追加，削除，変更）を行うとともに、稼働店舗ａ１の店舗管理装置２Ｘに対して単品情報ローカルファイル７に記憶される同一単品情報の修正を要求するファイル修正要求手段１１を有している。
【００１３】
一方、店舗管理装置２のうち稼働店舗ａ１の店舗管理装置２Ｘは、特有の機能として、ファイル修正手段９１，単品売上更新手段９２，余剰レコード削除手段９３，店舗固有単品情報抽出手段９４及び店舗固有単品情報出力手段９６を有している。
また、店舗管理装置２のうち未稼働店舗ａｎの店舗管理装置２Ｙは、特有の機能として、店舗固有単品情報要求手段９７と単品情報ローカルファイル作成手段９８とを有している。
【００１４】
ファイル修正手段９１は、本部管理装置１のファイル修正要求手段１１によりＷＡＮ３を介して与えられる修正要求データか、若しくはパーソナルコンピュータ８からＬＡＮ６を介して与えられる修正要求データにより、単品情報ローカルファイル７に記憶される単品情報の修正（追加，削除，変更）を行う手段であり、ＷＡＮ制御部２６かＬＡＮ制御部２８を介して修正要求データを受信すると起動する。
すなわちＣＰＵ２１は、図５に示すように、修正要求データを受信すると、先ずその修正要求データに基づいて単品情報ローカルファイル７に記憶される単品情報の修正を行う。例えば、修正要求データが新商品の単品情報追加を要求するデータであれば、その新商品の単品コード，単品名称，単価などの単品情報からなるレコードを単品情報ローカルファイル７に追加する。また、修正要求データが売変商品の単価変更を要求するデータであれば、単品情報ローカルファイル７上の売変商品に対応する単品情報レコードの単価を売変価格に変更する。また、修正要求データが販売中止商品の単品情報削除を要求するデータであれば、単品情報ローカルファイル７から販売中止商品の単品情報レコードを削除する。
【００１５】
ここで、単品情報ローカルファイル７で記憶する単品情報レコードは、図４に示すように、単品コード，単品名称，単価などの単品情報に、本部管理装置１からの指令により修正を行った単品情報なのか、ＬＡＮ接続されたパーソナルコンピュータ８からの指令により修正を行った単品情報なのかを識別するための管理区分データｄ１と、修正が行われた最新の日付である修正日付データｄ２と、ＬＡＮ接続されたＰＯＳターミナル５で販売登録された最新の日付である売上発生日付データｄ３とを付加したものである。
【００１６】
そこでＣＰＵ１１は、単品情報レコードの修正を行った後、その修正内容が追加または変更の場合に、修正要求元が本部管理装置１なのかＬＡＮ接続されたパーソナルコンピュータ８なのかを判別する。そして、本部管理装置１であれば修正した単品情報レコードの管理区分データｄ１を［本部］を示すデータ＝１とし、パーソナルコンピュータ８であれば同管理区分データｄ１を［店舗］を示すデータ＝０とする。なお、管理区分データｄ１の初期データは“０”である。しかる後、修正した単品情報レコードの修正日付データｄ２を時計部２４から読出した現日付に更新する。なお、修正日付データｄ２の初期データは当該店舗ａ１の稼働開始日、いわゆる開店日である。
【００１７】
単品売上更新手段９２は、各ＰＯＳターミナル５にて販売登録された各商品の売上データを集計管理する手段であり、ＬＡＮ接続されたＰＯＳターミナル５にて販売登録された商品の単品コード，売上点数，売上金額などからなる単品売上データをＬＡＮ制御部２８を介して受信すると起動する。
すなわちＣＰＵ２１は、図６に示すように、単品売上データを受信すると、先ずこの単品売上データを図示しない売上集計ファイルに集計登録する。次に、単品売上データ中の単品コードで単品情報ファイル７を検索して同一単品コードの単品情報レコードを検出し、この単品情報レコードの売上発生日付データを時計部２４から読出した現日付に更新する。なお、売上発生日付データｄ２の初期データは当該店舗ａ１の稼働開始日、いわゆる開店日である。
【００１８】
余剰レコード削除手段９３は、単品情報ローカルファイル７から一定期間取扱いのない商品の単品情報レコードを削除する手段であり、時計部２４にて計時される日付が更新されると起動する。
すなわちＣＰＵ２１は、図７に示すように、日付が更新されたことを検知すると、先ずレコード読出しカウンタｎを“０”に初期化する。次に、上記カウンタｎを１だけカウントアップしたならば、単品情報ローカルファイル７からｎ番目の単品情報レコードを読込む。そして、この単品情報レコードの修正日付データｄ２及び売上発生日付データｄ３から時計部２４にて計時されている現日付までの経過日数Ｄ１，Ｄ２をそれぞれ計算し、両経過日数Ｄ１，Ｄ２がいずれも設定日数Ｈ（例えばＨ＝３０日）を経過したか否かを判断する。そして、両経過日数Ｄ１，Ｄ２がいずれも設定日数Ｈを経過している場合には、単品情報ローカルファイル７からこのｎ番目の単品情報レコードを削除する。これに対し、少なくとも一方の経過日数が設定日数Ｈに達していない場合には、このｎ番目の単品情報レコードを削除しない。
【００１９】
次に、再びレコード読出しカウンタｎを１だけカウントアップし、単品情報ローカルファイル７からｎ番目の単品情報レコードを読込んだならば、上記と同様の処理を行う。
こうして、単品情報ローカルファイル７から順番に単品情報レコードを読込む毎に、この単品情報レコードの修正日付データｄ２及び売上発生日付データｄ３から時計部２４にて計時されている現日付までの経過日数Ｄ１，Ｄ２をそれぞれ計算し、両経過日数Ｄ１，Ｄ２がいずれも設定日数Ｈを経過している場合のみ、その単品情報レコードを単品情報ローカルファイル７から削除する処理を繰り返す。そして、単品情報ローカルファイル７の全レコードについて上記処理を終了したならば、単品情報ローカルファイル７に残った単品情報レコードを例えば単品コードの昇べき順に並べ変える。
【００２０】
店舗固有単品情報抽出手段９４は、単品情報ローカルファイル７に記憶された各種商品の単品情報の中で本部管理装置１の単品情報マスタファイル４に記憶されていない店舗固有の単品情報を抽出する手段であり、同一地域Ａ内の未稼働店舗ａｎの店舗管理装置２ＹからＷＡＮ制御部２６を介して店舗固有単品情報の要求コマンドを受信すると起動する。
すなわちＣＰＵ２１は、図８に示すように、店舗固有単品情報の要求コマンドを受信すると、同一地域Ａ内の未稼働店舗ａｎからの要求コマンドであることを確認した後、その店舗固有単品情報要求元の店舗管理装置２Ｙに割当てられているＷＡＮ３上の通信アドレスをＲＡＭ２３に一時記憶する。また、レコード読出しカウンタｎを“０”に初期化する。次に、上記カウンタｎを１だけカウントアップしたならば、単品情報ローカルファイル７からｎ番目の単品情報レコードを読込む。そして、この単品情報レコードの管理区分データｄ１が“０”なのか“１”なのかを判断する。そして“０”であれば、この単品情報レコードの単品情報は本部の単品情報マスタファイル４に記憶されていない店舗固有の単品情報なので抽出し、ＲＡＭ２３に記憶する。これに対し、管理区分データｄ１が“１”の場合には、単品情報マスタファイル４に記憶された各店舗共通の単品情報なので抽出しない。
【００２１】
次に、再度レコード読出しカウンタｎを１だけカウントアップし、単品情報ローカルファイル７からｎ番目の単品情報レコードを読込んだならば、上記と同様の処理を行う。
こうして、単品情報ローカルファイル７から順番に単品情報レコードを読込む毎にその単品情報レコードの管理区分データｄ１を調べ、［店舗］を示すデータ“０”の場合にその単品情報レコードの単品情報を抽出してＲＡＭ２３に記憶する。そして単品情報ローカルファイル７の全レコードについて上記処理を終了したならば、ＲＡＭ２３に抽出した全ての単品情報で店舗固有単品情報ファイル９５を作成する。そしてこの店舗固有単品情報ファイル９５をファイル記憶部２５ａで記憶したならば、店舗固有単品情報出力手段９６を起動する。
なお、他地域Ｂの未稼働店舗の店舗管理装置から店舗固有単品情報の要求コマンドを受信した場合には、ＷＡＮ制御部２６の制御によりエラー応答のみ行う。
【００２２】
店舗固有単品情報出力手段９６は、店舗固有単品情報抽出手段９４により単品情報ローカルファイル７から抽出した店舗固有単品情報を出力する手段であり、店舗固有単品情報抽出手段９４の実行で発生する起動指令により起動する。
すなわちＣＰＵ２１は、図９に示すように、起動指令を受けると、先ずリトライカウンタｒを“０”に初期化する。次に、店舗固有単品情報抽出手段９４においてＲＡＭ２３に記憶した店舗固有単品情報要求元の店舗管理装置２Ｙに割当てられているＷＡＮ３上の通信アドレスを読出し、ＷＡＮ制御部２６を制御して、この通信アドレスで指定される店舗管理装置２Ｙの呼出しを行う。そして、この店舗管理装置２Ｙとの回線が接続されたならば、店舗固有単品情報抽出手段９４においてファイル記憶部２５ａに記憶した店舗固有単品情報ファイル９５を送信する。そして、この店舗固有単品情報ファイル９５を回線接続された店舗管理装置２Ｙに正常に送信できたならば、ファイル記憶部２５ａから店舗固有単品情報ファイル９５を削除する。
【００２３】
なお、店舗固有単品情報要求元の店舗管理装置２Ｙを呼出しても回線が接続されなかったり、店舗固有単品情報ファイル９５を送信中にエラーが発生した場合には、リトライカウンタｒが規定値Ｒに達するまでリトライする。そして、リトライカウンタｒが規定値Ｒに達したならば、ＦＤＤ装置２７にフロッピーディスクが挿着されていることを確認後、ファイル記憶部２５ａに記憶した店舗固有単品情報ファイル９５を上記フロッピーディスクに記録する。しかる後、ファイル記憶部２５ａから店舗固有単品情報ファイル９５を削除する。
【００２４】
店舗固有単品情報要求手段９７は、ＷＡＮ３によって接続された稼働店舗ａ１の店舗管理装置２Ｘに、店舗固有単品情報の要求コマンドを送信する手段であり、本部管理装置１から単品情報マスタファイル４にて記憶管理されている各種単品情報のダウンロードが完了した後、ＬＡＮ接続されたパーソナルコンピュータ８から稼働店舗ａ１の店舗管理装置２Ｘに割当てられているＷＡＮ３上の通信アドレスとともに店舗固有単品情報要求手段９７の開始コマンドがＬＡＮ制御部２８を介して入力されると起動する。
すなわちＣＰＵ２１は、図１０に示すように、店舗固有単品情報要求手段９７の開始コマンドが入力されると、本部管理装置１から単品情報マスタファイル４にて記憶管理されている各種単品情報のダウンロードが完了していることを確認した後、リトライカウンタｒを“０”に初期化する。次に、ＷＡＮ制御部２６を制御して、パーソナルコンピュータ８から入力されたＷＡＮ３上の通信アドレスで指定される店舗管理装置２Ｘの呼出しを行う。そして、この店舗管理装置２Ｘとの回線が接続されたならば、所定の店舗固有単品情報要求コマンドを送信する。しかる後、単品情報ローカルファイル作成手段９８を起動する。
なお、店舗管理装置２Ｘを呼出しても回線が接続されなかった場合には、リトライカウンタｒが規定値Ｒに達するまでリトライする。
【００２５】
単品情報ローカルファイル作成手段９８は、ファイル記憶部２５ａに単品情報ローカルファイル７’を新規に作成する手段であり、店舗固有単品情報要求手段９７の実行で発生する起動指令により起動する。
すなわちＣＰＵ２１は、図１１に示すように、起動指令を受けると、店舗固有単品情報の要求先である稼働店舗ａ１の店舗管理装置２Ｘから店舗固有単品情報ファイル９５が送られてくるのを待機する。そして、所定時間内にＷＡＮ制御部２６を介して店舗固有単品情報ファイル９５を受信すると、本部管理装置１からダウンロードされた商品情報マスタファイル４の各種単品情報にこの店舗固有単品情報ファイル９５の単品情報を加えて単品情報ローカルファイル７’を作成する。
【００２６】
この場合において、店舗固有単品情報ファイル９５に本部管理装置１からダウンロードされた商品情報マスタファイル４の単品情報と単品コードが重複する単品情報が存在する場合には、いずれか一方の単品情報を選択する。なお、この選択方法としては、予め設定した側のファイルの単品情報を自動的に選択する方法と、商品情報マスタファイル４の単品情報と店舗固有単品情報ファイル９５の同一単品コードの単品情報とをパーソナルコンピュータ８に出力し、オペレータにより選択させる方法とが考えられる。
こうして、単品情報ローカルファイル７’を作成したならば、ファイル記憶部２５に記憶する。
【００２７】
なお、この単品情報ローカルファイル作成手段９８はＬＡＮ接続されたパーソナルコンピュータ８からの開始コマンド入力によっても起動させることができる。この場合には、本部管理装置１からダウンロードされた商品情報マスタファイル４の各種単品情報に、ＦＤＤ装置２８によりフロッピーディスクから読込んだ店舗固有単品情報ファイル９５の単品情報を加えて単品情報ローカルファイル７’を作成することが可能となる。
【００２８】
このように、第１の実施の形態の店舗管理システムにおいては、新規に出店する未稼働店舗に設置され単品情報ローカルファイルを搭載していない店舗管理装置２Ｙでは、店舗固有単品情報要求手段９７と単品情報ローカルファイル作成手段９８とが作動する。これにより、既に稼働している同一地域内の店舗の店舗管理装置２Ｘに対して店舗固有単品情報の要求が行われる。そして、この稼働店舗の店舗管理装置２Ｘから店舗固有単品情報を取込むと、本部管理装置１からＷＡＮ３を介して受信した単品情報マスタファイル４の各種単品情報にその店舗固有単品情報が付加されて、単品情報ローカルファイル７’が自動的に作成される。このとき、単品情報ローカルファイル７’内の各種単品情報に付加される修正日付データｄ２及び売上発生日付データｄ３は同店舗の開店日となる。
【００２９】
一方、既に稼働中の店舗に設置され単品情報ローカルファイル７を搭載済の店舗管理装置２Ｘでは、ファイル修正手段９１，単品売上更新手段９２及び余剰レコード削除手段９３が作動する。これにより、単品情報ローカルファイル７の各単品情報は、本部で管理される商品については本部管理装置１からの指令によって修正され、本部で管理されない地域限定商品などについては同店舗内のパーソナルコンピュータ８からの指令によって修正される。このとき、修正が行われた単品情報には、本部管理装置１からの指令により修正されたかパーソナルコンピュータ８からの指令により修正されたかを識別する管理区分データｄ１が格納される。また、修正が行われた最新の日付データｄ２も格納される。
また、単品情報ローカルファイル７の各単品情報のうち、同店舗内のＰＯＳターミナル５によって売上登録された商品の単品情報には、その売上が発生した最新の日付データｄ２が格納される。
【００３０】
しかして、単品情報ローカルファイル７に記憶管理される各単品情報のうち、修正日付データｄ２及び売上発生日付データｄ３からの経過日数Ｄ１，Ｄ２がいずれも設定日数Ｈを超えた単品情報は、同店舗で取扱いのない商品とみなされて、自動的に単品情報ローカルファイル７から削除される。
【００３１】
また、この稼働店舗の店舗管理装置２Ｘでは、同一地域内の未稼働店舗の店舗管理装置２Ｙから店舗固有単品情報の要求コマンドを受信すると、店舗固有単品情報抽出手段９４及び店舗固有単品情報出力手段９６が作動する。これにより、単品情報ローカルファイル７にて記憶管理している各単品情報のうち、管理区分データｄ１が［本部］でない単品情報、すなわち本部では管理されていない地域限定商品などの単品情報が抽出され、店舗固有単品情報ファイル９５に格納されて、要求元である未稼働店舗の店舗管理装置２Ｙに送信される。その結果、未稼働店舗の店舗管理装置２Ｙではこの店舗固有単品情報を含む単品情報ローカルファイル７’が自動的に作成されるのは、前述した通りである。
【００３２】
このように、本実施の形態によれば、新規に出店する場合において、本部では管理されていない地域限定商品などをピックアップする作業やこの商品の単品情報を入力する作業など、面倒で手間のかかる作業を行うことなく、その新規に出店する店舗の店舗管理装置２に地域限定商品などの店舗固有単品情報を含む単品情報ローカルファイル７’を作成できるので、開店までの準備に要する労力を大幅に軽減でき、開店準備期間の短縮や開店準備担当者の作業負担削減等の効果を奏し得る。
【００３３】
また、新規に出店する場合において開店準備担当者は、先ず、単品情報ローカルファイルを搭載していない未稼働店舗の店舗管理装置２ＹをＷＡＮ３に接続する。次に、ＷＡＮ３を介して本部管理装置１に単品情報マスタファイル４のファイルデータのダウンロードを要求する。これにより単品情報マスタファイル４のダウンロードが完了すると、次にＷＡＮ３を介して単品情報ローカルファイル７を搭載済の稼働店舗の店舗管理装置２Ｘに対して店舗固有単品情報の送信要求を行う。以上の作業を行うことにより、その未稼働店舗の店舗管理装置２Ｙに単品情報ローカルファイル７’が作成される。したがって、開店準備担当者は未稼働店舗内で作業を行えばよく、わざわざ稼働店舗まで出向いて店舗固有商品情報を取得する必要もないので、能率的である。
【００３４】
また、単品情報ローカルファイルを搭載していない未稼働店舗の店舗管理装置２Ｙと単品情報ローカルファイル７を搭載済の稼働店舗の店舗管理装置２Ｘとの通信に障害が発生して店舗固有商品情報ファイル９５を未稼働店舗の店舗管理装置２Ｙに送信出力できない事態が発生しても、稼働店舗の店舗管理装置２Ｘにおいて店舗固有商品情報ファイル９５がフロッピーディスクに書込まれるものとなっている。一方、未稼働店舗の店舗管理装置２Ｙでは、このフロッピーディスクに記録された店舗固有商品情報ファイル９５を用いて単品情報ローカルファイル７’を作成できるようになっている。したがって、上記のような通信障害が発生しても単品情報ローカルファイル７’の作成作業に支障を来すことはない。
【００３５】
また、単品情報ローカルファイル７に記憶された各単品情報のうち、一定期間売上及び修正のない単品情報は取扱いのない商品の単品情報として自動的に削除されるようになっている。したがって、開店後、一定の期間を経過すれば単品情報ローカルファイル７から取り扱いのない商品の単品情報が自動的に削除されるので、単品情報ローカルファイル７’の作成時に取り扱いのない単品情報を削除する作業を行わなくても必要な単品情報のみを格納した効率的な単品情報ローカルファイル７を搭載した店舗管理装置２が得られるようになる。
【００３６】
ところで、前記第１の実施の形態では、開店準備担当者が新規に出店する未稼働店舗ａｎにおいて同一地域内の稼働店舗の中から適当な１店舗ａ１を任意に選択したならば、パーソナルコンピュータ８を操作してその稼働店舗ａ１の店舗管理装置２Ｘに割り当てられているＷＡＮ３上の通信アドレスを入力する。こうすることにより、未稼働店舗ａｎの店舗管理装置２Ｙでは店舗固有単品情報要求手段９７が機能し、それに応じて稼働店舗ａ１の店舗管理装置２Ｘでは店舗固有単品情報抽出手段９４及び店舗固有単品情報出力手段９６が機能して店舗固有単品情報ファイル９５が未稼働店舗ａｎの店舗管理装置２Ｙに送信され、未稼働店舗ａｎの店舗管理装置２Ｙに単品情報ローカルファイル７’が作成される。したがって、開店準備担当者は新規に出店する未稼働店舗ａｎにおいて同一地域内の稼働店舗の中から商品形態が類似した１店舗ａ１を選択する作業が要求されることになる。
そこで次に、稼働店舗の中から適当な１店舗を選択する作業をも簡略化した本願請求項６及び７記載の発明に対応する第２の実施の形態について図１２〜図１８を用いて説明する。なお、この第２の実施の形態も第１の実施の形態と同様に図２示す店舗管理システム（ただし地域はＡ，Ｂの２地域に限らず多数存在するものとする）に本発明を適用し、同一部分には同一符号を付してその説明を省略する。
【００３７】
図１２はこの第２の実施の形態における店舗管理装置２及び本部管理装置１の主要な機能構成を示すブロック図である。同図からわかるように、この第２の実施の形態が第１の実施の形態と異なる点は、本部管理装置１に店舗情報ファイル１２，地域情報ファイル１３及び近接店舗選定手段１４を設けた点と、未稼働店舗ａｎの店舗管理装置２Ｙが有している店舗固有単品情報要求手段９７’と稼働店舗ａ１の店舗管理装置２Ｘが有している店舗固有単品情報抽出手段９４’の一部を修正した点である。
【００３８】
店舗情報ファイル１２は、図１３に示すように、各チェーン店舗ａ１〜ａｎ，ｂ１〜ｂｎ，…にそれぞれ付された固有の店舗コードに対応して、店舗名，住所，電話番号等とともに、その店舗が出店している地域を識別する地域コード、その店舗の商品形態を識別する形態コード、ＷＡＮ３上の通信アドレス及び稼働開始日（開店日）をそれぞれ設定したファイルである。
地域情報ファイル１３は、図１４に示すように、各チェーン店舗ａ１〜ａｎ，ｂ１〜ｂｎの出店地域を分類する地域コード別に、その地域名とともに、本地域に隣接する地域の数及びその隣接地域コードをそれぞれ設定したファイルである。
【００３９】
近接店舗選定手段１４は、新規に出店する未稼働店舗ａｎに近接する稼働店舗を自動的に選定する手段であり、未稼働店舗ａｎの店舗管理装置２Ｙから図１５（ａ）に示す伝文フォーマットの近接店舗検索要求伝文を受信すると起動する。すなわち本部管理装置１の制御部（ＣＰＵ）は、図１６に示すように、近接店舗検索要求伝文を受信すると、先ずその伝文に含まれる新規開店店舗の店舗コードを取得する。次に、その店舗コードを検索キーとして店舗情報ファイル１２を検索し、該当する店舗コードに対応して地域コード，形態コードなどの店舗情報が設定されているか否かを判断する。そして、設定されている場合にはその設定情報を読出して地域コードと形態コードとを記憶部（ＲＡＭ）に一時格納する。
【００４０】
次に、その記憶した地域コードと形態コードとを検索キーとして店舗情報ファイル１２を再度検索して、地域コードと形態コードとがそれぞれ同一で稼働開始日が既に経過している稼働店舗の有無を判断する（稼働店舗検索手段）。
【００４１】
ここで、該当する稼働店舗が１店舗しか存在しない場合にはその稼働店舗を近接店舗として決定し、店舗情報ファイル１２から当該稼働店舗の店舗コードに対応した通信アドレスを読出す。そして図１５（ｂ）に示すようにその稼働店舗の店舗コードと通信アドレスとを含んだ近接店舗情報応答伝文を作成して、近接店舗検索要求伝文送信元である新規開店店舗の店舗管理装置２Ｙに送信する。
また、地域コードと形態コードとがそれぞれ同一で稼働開始日が既に経過している稼働店舗が複数存在する場合には、その複数の稼働店舗の中から１店舗を近接店舗として選択する。この場合の選択手段としては、例えば稼働開始日からの経過日数が最も長い稼働店舗を近接店舗として自動的に選択する手段が考えられる。また、この複数の稼働店舗の詳細情報を本部管理装置１のディスプレイに表示させ、本部の担当者がいずれか１店舗を近接店舗としてマニュアルで選択してもよい。こうして、近接店舗としていずれかの稼働店舗が選択されたならば、上記と同様にその稼働店舗の店舗コードと通信アドレスとを含んだ近接店舗情報応答伝文を作成して、近接店舗検索要求伝文送信元である新規開店店舗の店舗管理装置２Ｙに送信する。
【００４２】
一方、地域コードと形態コードとがそれぞれ同一で稼働開始日が既に経過している稼働店舗が１店舗も存在しない場合には、記憶部に記憶した地域コードで地域情報テーブル１３を検索してその地域コードに対応する隣接地域数Ｑ及び各隣接地域コードを読出し、記憶部に記憶する（隣接地域コード取得手段）。次に、カウンタｑを「１」に初期化したならば、記憶部に記憶した各隣接地域コードの中から先頭（ｑ＝１）の隣接地域コードを選択する。そしてその選択した隣接地域コードと先に記憶部に記憶した形態コードとを検索キーとして店舗情報ファイル１２を再度検索して、隣接地域コードと形態コードとがそれぞれ同一で稼働開始日が既に経過している稼働店舗の有無を判断する（隣接稼働店舗検索手段）。
【００４３】
ここで、該当する稼働店舗が１店舗しか存在しない場合にはその稼働店舗を近接店舗として決定し、前記と同様に当該稼働店舗の店舗コードと通信アドレスとを含んだ近接店舗情報応答伝文を作成して、近接店舗検索要求伝文送信元である新規開店店舗の店舗管理装置２Ｙに送信する。
また、当該隣接地域コードと形態コードとがそれぞれ同一で稼働開始日が既に経過している稼働店舗が複数存在する場合も、前記と同様にその複数の稼働店舗の中から１店舗を近接店舗として選択したならば、その稼働店舗の店舗コードと通信アドレスとを含んだ近接店舗情報応答伝文を作成して、近接店舗検索要求伝文送信元である新規開店店舗の店舗管理装置２Ｙに送信する。
【００４４】
一方、当該隣接地域コードと形態コードとがそれぞれ同一で稼働開始日が既に経過している稼働店舗が１店舗も存在しない場合には、カウンタａを＋１だけカウントアップする。そしてカウンタｑ＝２が隣接地域数Ｑを超えていないことを確認したならば、記憶部に記憶した各隣接地域コードの中から２番目の隣接地域コードを選択する。以後、前記と同様に店舗情報ファイル１２を検索してその選択した隣接地域コードと先に記憶部に記憶した形態コードとがそれぞれ同一で稼働開始日が既に経過している稼働店舗の有無を判断する。
【００４５】
こうして、隣接地域数Ｑの範囲内で隣接地域コードの設定順に当該隣接地域コードと形態コードとがそれぞれ同一で稼働開始日が既に経過している稼働店舗の有無を判断し、該当する稼働店舗を検出したならば、その稼働店舗の店舗コードと通信アドレスとを含んだ近接店舗情報応答伝文を作成して、近接店舗検索要求伝文送信元である新規開店店舗の店舗管理装置２Ｙに送信する。
なお、新規開店店舗の店舗コードが店舗情報ファイルに設定されていない場合、及び隣接地域数Ｑの範囲内で隣接地域コードの設定順に店舗検索ファイル１２を検索しても該当する稼働店舗を検出できなかった場合には、近接店舗検索要求伝文送信元である新規開店店舗の店舗管理装置２Ｙにエラー応答を送信する。
【００４６】
店舗固有単品情報要求手段９７’は、ＷＡＮ３によって接続された稼働店舗ａ１の店舗管理装置２Ｘに店舗固有単品情報の要求コマンドを送信する手段であり、本部管理装置１から単品情報マスタファイル４にて記憶管理されている各種単品情報のダウンロードが完了した後、ＬＡＮ接続されたパーソナルコンピュータ８から店舗固有単品情報要求手段の開始コマンドがＬＡＮ制御部２８を介して入力されると起動する。
すなわちＣＰＵ２１は、図１７に示すように、店舗固有単品情報要求手段の開始コマンドが入力されると、本部管理装置１から単品情報マスタファイル４にて記憶管理されている各種単品情報のダウンロードが完了していることを確認した後、図１５（ａ）に示す伝文フォーマットの自己に設定された店舗コードを含む近接店舗検索要求伝文を作成する。そして、この近接店舗検索要求伝文をＷＡＮ３を介して本部管理装置１に送信する。
【００４７】
これに応じて、本部管理装置１から図１５（ｂ）に示す伝文フォーマットの近接店舗情報応答伝文を受信すると、リトライカウンタｒを“０”に初期化する。次に、ＷＡＮ制御部２６を制御して、近接店舗情報応答伝文中の通信アドレスで指定される店舗管理装置２Ｘの呼出しを行う。そして、この店舗管理装置２Ｘとの回線が接続されたならば、所定の店舗固有単品情報要求コマンドを送信する。しかる後、単品情報ローカルファイル作成手段９８を起動する。
なお、店舗管理装置２Ｘを呼出しても回線が接続されなかった場合には、リトライカウンタｒが規定値Ｒに達するまでリトライする。
【００４８】
店舗固有単品情報抽出手段９４’は、単品情報ローカルファイル７に記憶された各種商品の単品情報の中で本部管理装置１の単品情報マスタファイル４に記憶されていない店舗固有の単品情報を抽出する手段であり、未稼働の店舗管理装置２ＹからＷＡＮ制御部２６を介して店舗固有単品情報の要求コマンドを受信すると起動する。
すなわちＣＰＵ２１は、図１８に示すように、店舗固有単品情報の要求コマンドを受信すると、その店舗固有単品情報要求元の店舗が同一地域に存在するか否かに拘らずその店舗固有単品情報要求元の店舗管理装置２Ｙに割当てられているＷＡＮ３上の通信アドレスをＲＡＭ２３に一時記憶する。また、レコード読出しカウンタｎを“０”に初期化する。次に、上記カウンタｎを１だけカウントアップしたならば、単品情報ローカルファイル７からｎ番目の単品情報レコードを読込む。そして、この単品情報レコードの管理区分データｄ１が“０”なのか“１”なのかを判断する。そして“０”であれば、この単品情報レコードの単品情報は本部の単品情報マスタファイル４に記憶されていない店舗固有の単品情報なので抽出し、ＲＡＭ２３に記憶する。これに対し、管理区分データｄ１が“１”の場合には、単品情報マスタファイル４に記憶された各店舗共通の単品情報なので抽出しない。
【００４９】
次に、再度レコード読出しカウンタｎを１だけカウントアップし、単品情報ローカルファイル７からｎ番目の単品情報レコードを読込んだならば、上記と同様の処理を行う。
こうして、単品情報ローカルファイル７から順番に単品情報レコードを読込む毎にその単品情報レコードの管理区分データｄ１を調べ、［店舗］を示すデータ“０”の場合にその単品情報レコードの単品情報を抽出してＲＡＭ２３に記憶する。そして単品情報ローカルファイル７の全レコードについて上記処理を終了したならば、ＲＡＭ２３に抽出した全ての単品情報で店舗固有単品情報ファイル９５を作成する。そしてこの店舗固有単品情報ファイル９５をファイル記憶部２５ａで記憶したならば、店舗固有単品情報出力手段９６を起動する。
【００５０】
このような構成を有した第２の実施の形態の店舗管理システムにおいては、新規に出店する未稼働店舗ａｎに設置され単品情報ローカルファイルを搭載していない店舗管理装置２Ｙに単品情報ローカルファイル７’を作成する場合、その店舗管理装置２Ｙにおいて店舗固有単品情報要求手段９７’を起動させる。そうすると、本部管理装置１において近接店舗選定手段１４が動作して、当該未稼働店舗ａｎと出店地域が同一若しくは隣接しかつ商品形態が同一の稼働店舗１ａが近接店舗として選定される。そしてその選定された稼働店舗１ａの店舗管理装置２Ｘに対して店舗固有単品情報の要求が行われる。これにより、第１の実施の形態と同様にして未稼働店舗店舗管理装置２Ｙに単品情報ローカルファイル７’が作成されるものとなっている。
【００５１】
したがって、この第２の実施の形態によれば、店舗固有の単品情報要求先の稼働店舗を選定する作業が自動化されるので、開店準備担当者の負担をより一層軽減できるとともに、商品形態が異なる稼働店舗に店舗固有の単品情報を要求してしまう不具合を防止できる効果を奏する。
【００５２】
なお、本発明は前記第１，第２実施の形態に限定されるものではない。
例えば前記第１の実施の形態では、店舗固有単品情報抽出手段９４として、単品情報ローカルファイル７で記憶した各種商品の単品情報毎に本部管理装置１からの指令により修正を行った単品情報か否かを識別する手段（管理区分データ）を設け、本部管理装置１からの指令により修正を行った単品情報以外の単品情報を店舗固有の単品情報として抽出する場合を示したが、例えば本部管理装置１から単品情報マスタファイル４に登録された全単品情報を受信し、単品情報ローカルファイル７内の全単品情報と照合して、単品情報ローカルファイル７には存在するが単品情報マスタファイル４には存在しない単品情報を抽出する方法も考えられる。
【００５３】
また前記第１の実施の形態では、余剰レコード削除手段９３として修正日付と売上発生日付の両方を管理し、両日付がいずれも設定日数を経過した場合に単品情報ローカルファイル７から削除するようにしたが、いずれか一方の日付を管理してその日付が設定日数を経過した場合に単品情報ローカルファイル７から削除するようにしてもよい。
【００５４】
また前記第１の実施の形態では、単品情報ローカルファイルを未搭載の店舗管理装置２Ｙに店舗固有単品情報要求手段９７を設けたが、本部管理装置１に店舗固有単品情報要求手段９７を設けて、本部の担当者が適宜稼働店舗を選択しその店舗の店舗管理装置２Ｘに店舗固有単品情報ファイル９５の作成を指令するようにしてもよい。また、稼働店舗の店舗管理装置２Ｘに店舗固有情報要求手段９７を設けて、未稼働店舗と同一地域内の稼働店舗にて店舗固有単品情報ファイル９５の作成を指令するようにしてもよい。
【００５５】
同様に、前記第２の実施の形態においても、単品情報ローカルファイルを未搭載の店舗管理装置２Ｙに店舗固有単品情報要求手段９７’を設けたが、本部管理装置１に店舗固有単品情報要求手段９７’を設けて、本部の担当者が未稼働店舗の店舗コードをマニュアル入力することで近接店舗選定手段１４を起動させ、本部管理装置１からＷＡＮ３を通じて自動選定された稼働店舗の店舗管理装置２Ｘに店舗固有単品情報ファイル９５の作成を指令するようにしてもよい。
【００５６】
この他、本部管理装置１と各店舗管理装置２とを接続する通信回線としてＩＳＤＮ（Integrated Services Digital Network ：サービス総合ディジタル網）などの公衆網を使用するなど、本発明の要旨を逸脱しない範囲で種々変形実施可能であるのは勿論である。
【００５７】
【発明の効果】
以上詳述したように、本願請求項１記載の発明によれば、新規に開店する未稼働店舗の店舗管理装置に単品情報ローカルファイルを作成するのに必要な作業を簡略化できる上、商品のピックアップ漏れや単品情報の誤入力などのミスを防止でき、開店準備期間の短縮や開店準備担当者の作業負担軽減等の効果を奏し得る店舗管理システムを提供できる。
また、本願請求項２記載の発明によれば、上記請求項１記載の発明と同等な効果を奏することはもとより、稼働店舗では単品情報ローカルファイルで記憶した各種商品の単品情報のなかから店舗固有の単品情報が自動的にピックアップされるので、新規に開店する未稼働店舗の店舗管理装置に単品情報ローカルファイルを作成するのに必要な作業をより簡略化できる店舗管理システムを提供できる。
また、本願請求項３記載の発明によれば、上記請求項１記載の発明と同等な効果を奏することはもとより、新規に開店する未稼働店舗の店舗管理装置に作成された単品情報ローカルファイルから一定の期間を経過することにより自動的に未販売商品の単品情報が削除されるので、単品情報ローカルファイルから不要な単品情報を削除する作業を省略できる店舗管理システムを提供できる。
また、本願請求項４記載の発明によれば、上記請求項１記載の発明と同等な効果を奏することはもとより、開店準備担当者は新規に開店する未稼働店舗に居ながらにしてその未稼働店舗の店舗管理装置に単品情報ローカルファイルを作成できるので、開店準備担当者の作業負担をより軽減できる店舗管理システムを提供できる。
また、本願請求項５記載の発明によれば、上記請求項１記載の発明と同等な効果を奏することはもとより、未稼働店舗の店舗管理装置と稼働店舗の店舗管理装置との間の通信に障害が発生しても未稼働店舗の店舗管理装置に単品情報ローカルファイルを確実に作成できる店舗管理システムを提供できる。
【００５８】
また、本願請求項６記載の発明によれば、上記請求項１記載の発明と同等な効果を奏することはもとより、店舗固有の単品情報要求先の店舗として新規に出店する店舗と同一地域で同一形態の稼働店舗が自動的に選定されその稼働店舗に店舗固有単品情報の要求が行われるので、稼働店舗の選定作業をも簡略化できる店舗管理システムを提供できる。
【００５９】
また、本願請求項７記載の発明によれば、上記請求項６記載の発明と同等な効果を奏することはもとより、新規に出店する店舗と同一地域に同一形態の稼働店舗がなくてもその地域に隣接する地域で同一形態の稼働店舗が自動的に選定されその稼働店舗に店舗固有単品情報の要求が行われるので、単品情報ローカルファイルを確実に作成できる店舗管理システムを提供できる。
【図面の簡単な説明】
【図１】  本発明の第１の実施の形態である店舗管理システムの店舗管理装置及び本部管理装置が有する本発明特有の機能を説明するためのブロック図。
【図２】  同第１の実施の形態の店舗管理システムの概略図。
【図３】  同第１の実施の形態の店舗管理システムにおける店舗管理装置のハードウェア構成を示すブロック図。
【図４】  同第１の実施の形態の店舗管理システムの店舗管理装置が有する単品情報ローカルファイルのレコードフォーマットを示す図。
【図５】  同第１の実施の形態の店舗管理システムの店舗管理装置が有するファイル修正手段を具体化した流れ図。
【図６】  同第１の実施の形態の店舗管理システムの店舗管理装置が有する単品売上更新手段を具体化した流れ図。
【図７】  同第１の実施の形態の店舗管理システムの店舗管理装置が有する余剰レコード削除手段を具体化した流れ図。
【図８】  同第１の実施の形態の店舗管理システムの店舗管理装置が有する店舗固有情報抽出手段を具体化した流れ図。
【図９】  同第１の実施の形態の店舗管理システムの店舗管理装置が有する店舗固有単品情報出力手段を具体化した流れ図。
【図１０】同第１の実施の形態の店舗管理システムの店舗管理装置が有する店舗固有単品情報要求手段を具体化した流れ図。
【図１１】同第１の実施の形態の店舗管理システムの店舗管理装置が有する単品情報ローカルファイル作成手段を具体化した流れ図。
【図１２】本発明の第２の実施の形態である店舗管理システムの店舗管理装置及び本部管理装置が有する本発明特有の機能を説明するためのブロック図。
【図１３】同第２の実施の形態の店舗管理システムの本部管理装置が有する店舗情報ファイルのレコードフォーマットを示す図。
【図１４】同第２の実施の形態の店舗管理システムの本部管理装置が有する地域情報ファイルのレコードフォーマットを示す図。
【図１５】同第２の実施の形態の店舗管理システムの本部管理装置と店舗管理装置との間で送受される主要な伝文のフォーマットを示す図。
【図１６】同第２の実施の形態の店舗管理システムの本部管理装置が有する近接店舗選定手段を具体化した流れ図。。
【図１７】同第２の実施の形態の店舗管理システムの店舗管理装置が有する店舗固有単品情報要求手段を具体化した流れ図。
【図１８】同第２の実施の形態の店舗管理システムの店舗管理装置が有する店舗固有情報抽出手段を具体化した流れ図。
【符号の説明】
１…本部管理装置
２…店舗管理装置
３…ＷＡＮ
４…単品情報マスタファイル
７，７’…単品情報ローカルファイル
１２…店舗情報ファイル
１３…地域情報ファイル
１４…近接店舗選定手段
９１…ファイル修正手段
９２…単品売上更新手段
９３…余剰レコード更新手段
９４，９４’…店舗固有単品情報抽出手段
９５…店舗固有単品情報ファイル
９６…店舗固有単品情報出力手段
９７，９７’…店舗固有単品情報要求手段
９８…単品情報ローカルファイル作成手段
【図１】
0003848461.tif 000002
【図２】
0003848461.tif 000003
【図３】
0003848461.tif 000004
【図４】
0003848461.tif 000005
【図５】
0003848461.tif 000006
【図６】
0003848461.tif 000007
【図７】
0003848461.tif 000008
【図８】
0003848461.tif 000009
【図９】
0003848461.tif 000010
【図１０】
0003848461.tif 000011
【図１１】
0003848461.tif 000012
【図１２】
0003848461.tif 000013
【図１３】
0003848461.tif 000014
【図１４】
0003848461.tif 000015
【図１５】
0003848461.tif 000016
【図１６】
0003848461.tif 000017
【図１７】
0003848461.tif 000018
【図１８】
0003848461.tif 000019